(57)【要約】【課題】胴膨れを目立ちにくくし、外形の美観を保つ包装箱を提供する。【解決手段】一対の対向する第１側面１２，１４と、該第１側面の対向方向に直交する方向に対向する一対の第２側面２２、２４と、前記第１側面の上辺と連設する天面１５と、前記第１側面の下辺と連設する底面１３とを有する包装箱１０であって、前記第２側面における上辺の長さＬ１は、下辺の長さＬ２よりも広いことを特徴とする包装箱。【選択図】図３
2016097979.tif 000002
【特許請求の範囲】
【請求項１】
一対の対向する第１側面と、該第１側面の対向方向に直交する方向に対向する一対の第２側面と、前記第１側面の上辺と連設する天面と、前記第１側面の下辺と連設する底面とを有する包装箱であって、
前記第２側面における上辺の長さＬ１は、下辺の長さＬ２よりも広いことを特徴とする包装箱。
【請求項２】
前記底面から天面までの高さＨと、前記第２側面の上辺の長さＬ１及び前記下辺の長さＬ２とは、０＜（Ｌ１−Ｌ２）／Ｈ≦０．１を満たすことを特徴とする請求項１に記載の包装箱。
【請求項３】
前記第２側面は、対向する一対の内フラップと対向する一対の外フラップとから形成されることを特徴とする請求項１または２のいずれかに記載の包装箱。
【請求項４】
前記包装箱は、飲料用ボトルを格納するものであり、飲料用ボトルの底を前記底面に配置することを特徴とする請求項１ないし３のいずれかに記載の包装箱。
【請求項５】
請求項１ないし４のいずれかに記載の包装箱のブランクシートであって、
継ぎ代と、該継ぎ代とスコアを介して連設し前記第１側面の一方を形成する第１の側板と、該第１の側板とスコアを介して連設する底板と、該底板とスコアを介して連設する前記第１側面の他方を形成する第２の側板と、該第２の側板とスコアを介して連設する天板と、前記第１の側板とクリーズを介してそれぞれ連設する一対の第１の内フラップと、前記底板とクリーズを介してそれぞれ連設する一対の第１の外フラップと、前記第２の側板とクリーズを介してそれぞれ連設する一対の第２の内フラップと、前記天板とクリーズを介してそれぞれ連設する一対の第２の外フラップとを備えたことを特徴とするブランクシート。
【請求項６】
請求項１ないし４のいずれかに記載の包装箱の製造方法であって、
請求項５に記載のブランクシートを用い、
前記継ぎ代に前記天板を接合する上で、前記天板における前記第２の側板との間のスコアと対向する端は、前記継ぎ代における前記第１の側板との間のスコアから離れて接合されることを特徴とする包装箱の製造方法。
【発明の詳細な説明】
【技術分野】
【０００１】
本発明は、積み重ね荷重が加わった場合の胴膨れ対策を施した包装箱及びそのブランクシートならびに包装箱の製造方法に関する。
【背景技術】
【０００２】
飲料用ボトルなどを複数個梱包した、段ボール製の包装箱（段ボール箱）が、広く流通している。このような飲料用ボトルの包装箱として、いわゆる組立て式ラップラウンドケースが多く用いられている。すなわち、天板と底板、一対の側板が折り曲げ用罫線を介して連設されている段ボールシートを、収容する商品群を巻き込むように折り曲げ、側板の継ぎ代と天板とを接合して周壁を形成し、両側板から延びる内フラップを折りたたむとともに、天板、底板から延びる外フラップを内フラップに折り重ねて周壁の両側面を封止する形のものである。
【０００３】
このような飲料用ボトルを梱包した包装箱は、多段に積み重ねられて倉庫等に保管されることが多い。段積みされた下段の包装箱は、積み重ね荷重が天板にかかり、押しつぶされて、側板等に不規則な外方向への変形、いわゆる胴膨れが発生する場合がある。
【０００４】
このような胴膨れによる包装箱の見た目、外観の低下を抑制するために、特許文献１には、側板の上下に、押罫部を設けたものが記載されている。胴膨れ時には、この押罫部に沿って側板がつぶれることにより、側板の不規則な胴膨れを防止するものである。
【先行技術文献】
【特許文献】
【０００５】
【特許文献１】特開２０１３−２０３４７２号公報
【発明の概要】
【発明が解決しようとする課題】
【０００６】
しかしながら、特許文献１に記載の包装箱は、胴膨れ時、側板の押罫部付近がつぶれた後は、側板が外方向に湾曲して膨らむことになる。
【０００７】
飲料用ペットボトルは、箱買いする購入者もいるため、小売店においても、包装箱に梱包した状態で陳列されることも多い。このような陳列時に、胴膨れによる包装箱の不規則な変形は、購入意欲を減退させる一要因ともなり得るため好まれない。特に、２リットルペットボトルなどはボトルの高さがあるため、箱自体も高さがあり、胴膨れしやすい。特許文献１に記載の包装箱のような側板に押罫部を設けたものは、側板側から見た時は、胴膨れが目立たないが、高さがあり、かつ細長い箱の場合、幅方向から見た場合の対策は不十分である。箱の陳列時、幅面を前にして、面の広い側板同士が接するようにして複数の箱を並べる場合が多いため、箱の幅面から見た際の胴膨れの目立ち具合も考慮するのがより望ましい。
【０００８】
本発明は、積み重ね荷重による胴膨れにおいて、胴膨れが目立ちにくく、外形の美観を保つ包装箱およびブランクシートを提供することを課題とする。
【課題を解決するための手段】
【０００９】
本発明の包装箱は、一対の対向する第１側面と、該第１側面の対向方向に直交する方向に対向する一対の第２側面と、前記第１側面の上辺と連設する天面と、前記第１側面の下辺と連設する底面とを有する包装箱であって、前記第２側面における上辺の長さＬ１は、下辺の長さＬ２よりも広いことを特徴とする。
【００１０】
特に、前記底面から天面までの高さＨとすると、前記第２側面の上辺の長さＬ１及び前記下辺の長さＬ２は、０＜（Ｌ１−Ｌ２）／Ｈ≦０．１を満たすものである。
【００１１】
また、前記第２側面は、対向する一対の内フラップと対向する一対の外フラップとから形成されるものであってもよい。
【００１２】
また、前記包装箱は、飲料用ボトルを格納するものであり、飲料用ボトルの底を前記底面に配置するものであってもよい。
【００１３】
本発明の包装箱のブランクシートは、継ぎ代と、該継ぎ代とスコアを介して連設し前記第１側面の一方を形成する第１の側板と、該第１の側板とスコアを介して連設する底板と、該底板とスコアを介して連設し前記第１側面の他方を形成する第２の側板と、該第２の側板とスコアを介して連設する天板と、前記第１の側板とクリーズを介してそれぞれ連設する一対の第１の内フラップと、前記底板とクリーズを介してそれぞれ連設する一対の第１の外フラップと、前記第２の側板とクリーズを介してそれぞれ連設する一対の第２の内フラップと、前記天板とクリーズを介してそれぞれ連設する一対の第２の外フラップとを備えるものである。
【００１４】
本発明の包装箱の製造方法は、前記ブランクシートを用い、前記継ぎ代に前記天板を接合する上で、前記天板における前記第２の側板との間のスコアと対向する端は、前記継ぎ代における前記第１の側板との間のスコアから離れて接合されるものである。
【発明の効果】
【００１５】
本発明の包装箱は、第２側面の上辺が下辺よりも長い、いわゆる逆台形の形状となるように、対向する第１側面がそれぞれ前記底面に向かうほど内側に傾斜している。したがって、胴膨れによって第１側面がそれぞれ外方向に移動したとしても、もともと内側に傾斜していた分と相殺されて、第２側面から見た時の胴膨れが目立ちにくく、外観の美観を保つことができる。
【００１６】
特に、飲料用ボトル等を格納するものなど、背の高く幅の狭い箱は、幅方向から見た時の胴膨れが目立ちやすいので、このような逆台形の側面は有効である。
【００１７】
ブランクシートの底板と天板の幅は同一で、組立て時の継ぎ代上の天板の位置を調整するという製造方法の場合、製造時のわずかな調整のみで、逆台形の側面を持つ箱を実現することができる。
【図面の簡単な説明】
【００１８】
【図１】図１は、本発明に係る包装箱の全体を示す斜視図である。
【図２】図２は、本発明に係る包装箱の展開図（ブランクシートを示す図）である。
【図３】図３は、本発明に係る胴膨れ時の包装箱の側面図である。
【図４】図４は、本発明に係る包装箱の内部を示す部分斜視図である。
【発明を実施するための形態】
【００１９】
本発明の包装箱を、段ボール製の組立て形ラップアラウンドケースに応用した実施形態について、図１〜図４を参照して説明する。
【００２０】
図１は、本発明の包装箱の外観を透視状態で示す斜視図である。
【００２１】
図２は、図１の包装箱のブランクシートの平面図である。
【００２２】
ペットボトルなどの飲料ボトル１００を複数本配列して内蔵する包装箱１０は、第１の側板１２、第１の幅板（以下、「底板」ともいう）１３、第２の側板１４、第２の幅板（以下、「天板」ともいう）１５と、継ぎ代１６とを具えている。
【００２３】
組立て状態において、第１の幅板１３を底板にして、第１の側板１２と第２の側板１４が向かい合い、第２の幅板１５を天板として、継ぎ代１６で貼合されている。そして、第１の側板１２の両側辺からは、それぞれ、クリーズＣ２ａ、Ｃ２ｂを介して、第１の内フラップ２２ａ、２２ｂが連設する。同じく、第２の側板１４の両側辺からは、それぞれ、クリーズＣ４ａ、Ｃ４ｂを介して、第２の内フラップ２４ａ、２４ｂが連設する。第１の幅板１３の両側辺からは、それぞれ、クリーズＣ３ａ、Ｃ３ｂを介して、第１の外フラップ２３ａ、２３ｂが連設する。同じく、第２の幅板１５の両側辺からは、それぞれ、クリーズＣ５ａ、Ｃ５ｂを介して、第２の外フラップ２５ａ、２５ｂが連設する。
【００２４】
なお、内フラップ２２、２４の短手方向の辺の長さ、すなわち、クリーズＣ２、Ｃ４にそれぞれ垂直となる方向の辺の長さは、幅板１３、１５の側辺の長さの１／２となっている。したがって、組立て状態において、第１の内フラップ２２ａと第２の内フラップ２４ａ、第１の内フラップ２２ｂと第２の内フラップ２４ｂとが、それぞれ互いに向かい合う形で包装箱の側板１２、１４の間にある側面を形成する。そして、第１の内フラップ２２、第２の内フラップ２４の上に、第１の外フラップ２３、第２の外フラップ２５が折り重ねられる。そして、これら内フラップ２２、２４に重なる外フラップ２３、２５が接着接合されて、包装箱１０は封止される。
【００２５】
なお、本実施形態では、内フラップ２２、２４の短手方向の辺の長さは、幅板１３、１５の側辺の長さの１／２としたが、本発明は、これに限らず、内フラップ２２、２４の短手方向の辺の長さが、幅板１３、１５の側辺の長さの１／２未満であってもよい。この場合、組立て状態において、向かい合う内フラップ２２、２４の端位置は一致せず、内フラップ２２、２４間で隙間がある状態で包装箱１０は封止されることとなる。このように、内フラップ２２、２４の短手方向の辺の長さを短くすることにより、必要なブランクシート全体の面積が小さくなり、資材の節約になる。梱包する物品によっては、包装箱１０に多少の隙間があったとしても、大きな支障がない場合もあり、コストとの兼ね合いによって、このような隙間を有する構成も選択可能である。
【００２６】
また、第１の側板１２と継ぎ代１６はスコアＳ１を介して連設し、第１の側板１２と第１の幅板１３とはスコアＳ２を介して連設し、第１の幅板１３と第２の側板１４とはスコアＳ３を介して連設し、第２の側板１４と第２の幅板１５とはスコアＳ４を介して連設する。
【００２７】
本実施形態では、継ぎ代１６を第２の幅板１５の内側に重ね合わせて、継ぎ代１６が外部に露出しないようにして、接着接合している。しかしながら、継ぎ代１６を第２の幅板１５の外側に重ね合わせて外部に露出するようにしてもよい。
【００２８】
なお、本実施形態では、各フラップおよび継ぎ代の接合に接着剤を用いたが、本発明は、これに限らず、テープなど各種接合手段を用いた接合であってもよい。
【００２９】
第２の外フラップ２５ａ，２５ｂの中央には、手穴となる切り込み部１７が設けられ、第１の内フラップ２２ａ、２２ｂ、第２の内フラップ２４ａ、２４ｂの、第２の外フラップ２５ａ、２５ｂが重なる部分にも、前記切り込み部１７と対向する位置に切り込み部１８が設けられている。切り込み線と罫線等で囲まれた切り込み部を箱内側に押し込むことにより、第２の外フラップ２５及び第１の内フラップ２２、第２の内フラップ２４の重なる部分が箱内側に押し込まれ、手穴となる。手穴は包装箱１０を持ち運ぶ際に、指を挿入して箱を把持しやすくするものである。
【００３０】
また、側板１２から内フラップ２２に渡って、箱の内側面のライナーに所定幅離間した２本の平行なライナーカット線からなるライナーカット部６１が設けられていてもよい。ライナーカット部６１は、箱１０から引き剥がされることにより、このライナーカット部６１を境に包装箱１０を二分することができる。このため、ライナーカット部６１によって箱１０上部のみを取り外すことにより、内部に収容されたボトルの一部を露出させることができる。
【００３１】
なお、包装箱１０の上、下、底板、天板、上辺、下辺などの呼称は、図１に示すように包装箱１０を置いた場合であり、本発明の包装箱はこのような置き方だけに限るものではない。また、手穴となる切り込み部１７、１８、ライナーカット部６１等は、設けられていなくてもよい。また、ライナーカット部の代わりにカットテープを二分割手段としてもよい。
【００３２】
本実施形態の包装箱１０は、２リットル入りペットボトル６本を格納するものである。図１に示すように、底板１３からなる底面の幅Ｌ２は、格納するボトル１００の二列分の幅とほぼ一致する。第１の側板１２、第２の側板１４の幅Ｈ、すなわち、包装箱１０の内のり高さＨは、格納するボトル１００の高さとほぼ一致する。本実施形態の包装箱１０には、ペットボトルを縦に３本、横に２本並べて格納するものである。したがって、奥行きＭはペットボトル３本を並べた長さとほぼ一致する。なお、本実施形態はペットボトル２列の格納としたが、本発明はこれに限らず、１列格納など、さまざまな形態に対応可能である。
【００３３】
包装箱１０は、胴膨れを目立たなくする加工がなされている。これについて説明する。
【００３４】
図１及び図３に示すように、組立て状態において、包装箱１０の天面の幅は、底面の幅に比べてわずかに広い。すなわち外フラップと内フラップとにより形成される側面の上辺の長さＬ１は、外フラップと内フラップとにより形成される側面の下辺の長さＬ２に比べてわずかに長い。これは箱の内のり寸法においても同じであり、天面の内のり幅は、底面の内のり幅に比べてわずかに広い。
【００３５】
具体的には、天板１５が位置する天面の幅Ｌ１と底板１３が位置する底面の幅Ｌ２の差分（Ｌ１−Ｌ２）は、５ｍｍから３０ｍｍ程度である。このようなわずかな差であるが、内フラップ２２、外フラップ２３、２５で封止した側面から包装箱１０を見ると、天面と底面の幅の違いから、わずかに上辺が長い逆台形形状となる。図３における仮想線（二点鎖線）は、上面と下面が同じ幅Ｌ１であったときの側板１２、１４の位置である。この仮想線と実際の側板１２、１４の位置の比較で分かるように、底板１３に向かうほど、側板１２、１４は内側に入るように傾斜している。この傾斜は、０＜（Ｌ１−Ｌ２）／Ｈ≦０．１の範囲にあることが、胴膨れを目立たせることなく、設置スペースを有効に活用する上で望ましい。例えば、小売店では、狭いスペースでできるだけ商品が見えるようにするために、箱１０は外フラップと内フラップとにより形成される側面（幅面）を前にして、側板１２、１４が隣り合う箱の側板１２、１４と対向するようにして並べられることが多い。この場合、側板１２，１４の傾斜が急であると、天板と底板の幅の差が大きくなり、隣接する箱間に発生するデッドスペースが大きくなる。したがって、デッドスペースをできるだけ小さくし、かつ胴膨れを目立たせないようにする上で、上述の範囲は有効である。
【００３６】
このように、組立て状態において、天面と底面の幅が異なるような外形とする第１の方法としては、ブランクシートの段階で天板１５と底板１３の幅を異ならせておく方法が挙げられる。図２は後述する第２の方法に沿ったブランクシートを示すが、部位の説明の参考として、この第１の方法においても利用する。
【００３７】
第１の方法では、天板１５の幅、すなわち、図２におけるスコアＳ４から天板１５の端１５Ａまでの長さＰ１は、底板の幅、すなわちスコアＳ２からスコアＳ３までの長さＰ２よりもわずかに長いブランクシートを用いる（なお、図２に示すブランクシートの長さＰ１とＰ２は同じ長さである。）。そして、天板１５の端１５Ａが継ぎ代１６のスコアＳ１に位置するように接合して箱を組み立てる。第１の方法であれば、従来と同様の組立て方法で、逆台形の側面を持つ箱を実現することができ、製造装置を改造する必要が少ない。
【００３８】
第２の方法として、ブランクシートにおける天板１５と底板１３の幅は同一にしておき、組立て時に、継ぎ代１６をわずかに外側にずらすことによって、天面の幅が底面の幅よりもわずかに広い外形を実現する。図２に示すブランクシートは、この第２の方法によって組立てられるものであり、天板１５の幅、すなわち、図２におけるスコアＳ４から天板１５の端１５Ａまでの長さＰ１と、底板の幅、すなわちスコアＳ２からスコアＳ３までの長さＰ２とは同一である。組立て時に、天板１５の側板１４とつながっていない方の端１５Ａを、継ぎ代１６のスコアＳ１にぴったりと重ねるのではなく、わずかに外方向、すなわち、継ぎ代１６のライン１６Ｂ上に位置させて接合する。これにより、包装箱の完成品において天面の幅が底面の幅よりもわずかに広くなる。図３に示すブランクシートにおいて、継ぎ代１６の斜線部と天板１５の斜線部は、組立て状態で重なり合う部分である。梱包時、ブランクシートの折り曲げは、底板１３上に梱包物（例えば、２リットルサイズのペットボトル６本を横２本×縦３本で並べたもの）を配置して、梱包物を巻き込むようにして継ぎ代１６と天板１５を接着する。したがって、一方の側板に偏ることなく、側板双方に均等に力が加えられて立ち上がり、継ぎ代が接合される。このため、箱完成品では、側板１２、１４は、ほぼ左右均等に傾斜した、図３に示すような形状となる。第２の方法であれば、組立て時の継ぎ代の接合位置を調整するのみで、天面の幅が底面の幅よりも広い箱を形成できるため、ブランクシートの改造が少ない。
【００３９】
次に胴膨れが起きたときの、箱１０の変化について説明する。上述したように、ペットボトル等が収容された包装箱は倉庫等で、積み重ねて保管される。長時間の保管で、下段に位置する包装箱は、上に積み重なる複数段の箱の重みを天板１５に受けることになる。天板１５に加えられる積み重ね荷重の力は、箱１０に幅方向の胴膨れを引き起こすこととなる。
【００４０】
この際、図４に示すように、本実施形態における包装箱１０は、もともと、底面に行くほど、側板１２、１４が内側に傾斜した外形となっている。このため、胴膨れがおきて、側板１２、１４が外方向に膨らんだとしても（膨らんだ状態を破線で示す）、天面の幅と膨らんだ部分の幅との差はわずかとなり、胴膨れが目立ちにくい。すなわち、図４の破線で示すように、外方向に側板１２、１４が膨らんだとしても、もともと、側板１２、１４は内側に傾斜した形となっていたので、傾斜分が胴膨れによる側板の外方向の移動で相殺された状態となる。したがって、天面と底面の幅が同じ箱に比べて、胴膨れが目立ちにくい。
【００４１】
（変形例）
図２に示すブランクシートにおける内フラップ２２、２４は、一定の幅で形成されている。しかしながら、上述したように、天面の幅が底面の幅よりも広くなると、向かい合う内フラップ２２ａ−２４ａ間、２２ｂ−２４ｂ間において、上方に行くほど隙間が生じることとなる。この隙間の発生を防ぐために、内フラップ２２、２４は、組立て時に上方となる側は下方となる側よりも幅広となるように、端が傾斜していてもよい。
【００４２】
さらに、本発明は、その特許請求の範囲に記載された事項のみから解釈されるべきものであり、上述した実施形態においても、本発明の概念に包括されるあらゆる変更や修正が記載した事項以外に可能である。
【符号の説明】
【００４３】
１０  包装箱
１２  第１の側板（組立て時、一対の第１側面の一方面となる）
１３  第１の幅板（底板：組立て時、底面となる）
１４  第２の側板（組立て時、一対の第１側面の他方面となる）
１５  第２の幅板（天板：組立て時、天面となる）
１６  継ぎ代
１７、１８  切り込み部
２２、２４  内フラップ
２３、２５  外フラップ
【図２】
2016097979.tif 000003
【図３】
2016097979.tif 000004
【図４】
2016097979.tif 000005
【図１】
2016097979.tif 000006